(57)【要約】【課題】利用者の身体に合わせて調整可能であり、外部から見えないように蓋を有する組立式箱形ベッドを提供する。【解決手段】  組立式箱形ベッドにおいて、折り曲げ可能なシート状部材からなり、組み立てると四角形の立方体形状である第１の箱体及び第２の箱体と、組み立てると三角形等の立体形状である蓋体と、を備え、前記第１の箱体は、１つの開口部と、出入口部とを有し、前記第２の箱体は、１つの開口部を有し、前記蓋体は、１つの開口部を有し、前記第２の箱体は、前記第２の箱体の開口部を前記第１の箱体の開口部に嵌めることにより、前記第１の箱体に対して出し入れ可能であり、前記蓋体は、前記蓋体の開口部と前記第１の箱体の出入口部とを連通させることで、前記組立式箱形ベッドの内部を１つの閉空間とする。【選択図】        図１
2020022660.tif 000002
【特許請求の範囲】
【請求項１】
組立式箱形ベッドにおいて、
折り曲げ可能なシート状部材からなり、
組み立てると四角形の立方体形状である第１の箱体及び第２の箱体と、
組み立てると三角形等の立体形状である蓋体と、
を備え、
前記第１の箱体は、１つの開口部と、出入口部とを有し、
前記第２の箱体は、１つの開口部を有し、
前記蓋体は、１つの開口部を有し、
前記第２の箱体は、前記第２の箱体の開口部を前記第１の箱体の開口部に嵌めることにより、前記第１の箱体に対して出し入れ可能であり、
前記蓋体は、前記蓋体の開口部と前記第１の箱体の出入口部とを連通させることで、前記組立式箱形ベッドの内部を１つの閉空間とすることを特徴とする組立式箱形ベッド。
【請求項２】
請求項１に記載の組立式箱形ベッドにおいて、
前記組立式箱形ベッドの全長は、前記第２の箱体を前記第１の箱体に入れる場合は小さくなり、前記第２の箱体を前記第１の箱体から引き出す場合は大きくなり、利用者の身体に合わせて調整可能であることを特徴とする組立式箱形ベッド。
【発明の詳細な説明】
【技術分野】
【０００１】
本発明は、組立式箱形ベッドに関する。
【背景技術】
【０００２】
地震、台風等の大規模災害発生時において、多数の人々が学校の体育館や公民館等の避難所で生活を営む場合、限られたスペースで共同生活をする必要がある。
このような避難所生活においては、生活空間の問題、プライバシーの問題、備蓄物資の問題がある。
生活空間の問題とは、多数の人々が学校の体育館や公民館等の限られたスペースにすし詰め状態になることで、個人に割り当てられる生活空間が狭くなるという問題である。
また、生活空間の確保は早い者勝ちになりやすいため、お年寄りや子ども連れの人は、戸口の近くや廊下等の環境の悪い空間で生活せざるを得ない場合があるという問題もある。
プライバシーの問題とは、避難所には簡易な間仕切りしか設置されていない場合が多く、個人の日常生活が多数の人々の視線に晒されてしまうという問題である。
備蓄物資の問題とは、大規模災害の発生によって交通インフラが混乱し、食糧や毛布等の救援物資が避難所に配給されるのが遅れる場合、避難所の備蓄物資が頼りとなるが、山間部や島嶼部の避難所では、備蓄物資が乏しいうえに備蓄するスペースも小さいため、比較的大きな備蓄スペースを必要とするベッドやマットレス等が十分に備蓄されていない。
【０００３】
したがって、冬期においては、避難所生活者は救援物資が配給されるまでの間、寒い中寝泊まりしなければならず、避難所生活に支障をきたすという問題がある。
避難所生活者は、上述したような問題により、日常的に心理的及び身体的にストレスを感じ、体調を悪くしてしまう場合が多い。
【０００４】
このため、組み立てが容易で収納性に優れた組立式箱形ベッドが提案されている。（例えば、特許文献１、特許文献２参照。）
上記特許文献１に記載の組立式箱形ベッドは、不使用時にはシート状の部材に分解することができるので、避難所の備蓄スペースが小さい場合であっても、コンパクトに収納、備蓄することができる。
【０００５】
さらに、上記特許文献２に記載の組立式箱形ベッドは、コンパクトに収納、備蓄することができることに加え、縦方向に積層することができるとともに、組み立てると一つの開口部を有する筒状構造になるため、避難所のスペースを有効利用でき、かつ利用者が周囲から見えにくくプライバシーを守ることができる。
【先行技術文献】
【特許文献】
【０００６】
【特許文献１】実用新案登録第３１３７５７２号公報
【特許文献２】特開２０１５−２０９６８４号公報
【発明の概要】
【発明が解決しようとする課題】
【０００７】
上述した技術によって、避難所の備蓄スペースが小さい場合であっても、組立式箱形ベッドをコンパクトに収納して備蓄することができる。
【０００８】
しかしながら、特許文献１に記載の組立式箱形ベッドは、組み立てると一定のスペースを占有するため、避難所生活者全員分の備蓄があったとしても、避難所のスペースの大きさによっては、避難所生活者全員が利用できない場合がある。
さらに、避難所に間仕切りが設置されていない場合、寝ている姿を多数の人々に見られてしまい、利用者のプライバシーが害されてしまう。
【０００９】
また、特許文献２に記載の組立式箱形ベッドは、天井が低い中小規模の避難所においては縦方向に積層することができないため、特許文献１の場合と同様に、組み立てると一定のスペースを占有してしまい、避難所のスペースの大きさによっては、避難所生活者全員が利用できない場合がある。
さらに、特許文献２に記載の組立式箱形ベッドは、開口部を有しているため、少なからず他人の視線に晒されてしまい、利用者のプライバシーが害されてしまう。
【００１０】
そこで、本発明は、避難所のスペースを有効利用するとともに利用者のプライバシーを守るため、利用者の身体に合わせて全長を調整可能であり、外部から見えないように蓋を有する組立式箱形ベッドを提供することを目的とする。
【課題を解決するための手段】
【００１１】
そのため、本発明は、組立式箱形ベッドにおいて、折り曲げ可能なシート状部材からなり、組み立てると四角形の立方体形状である第１の箱体及び第２の箱体と、組み立てると三角形等の立体形状である蓋体とを備え、前記第１の箱体は、１つの開口部と、出入口部とを有し、前記第２の箱体は、１つの開口部を有し、前記蓋体は、１つの開口部を有し、前記第２の箱体は、前記第２の箱体の開口部を前記第１の箱体の開口部に嵌めることにより、前記第１の箱体に対して出し入れ可能であり、前記蓋体は、前記蓋体の開口部と前記第１の箱体の出入口部とを連通させることで、前記組立式箱形ベッドの内部を１つの閉空間とすることを特徴とする。
【発明の効果】
【００１２】
このようにした本発明は、避難所のスペースを有効利用するとともに利用者のプライバシーを守ることができるという効果が得られる。
【図面の簡単な説明】
【００１３】
【図１】第１の実施例における組立式箱形ベッドを側方から見た斜視図
【図２】第１の実施例における組立式箱形ベッドの各構成体の概略斜視図
【図３】第１の実施例における組み立て前の各構成体の概略平面図
【図４】第１の実施例における第１の箱体の組み立て方法を説明する図
【図５】第１の実施例における不使用時の組立式箱形ベッドの組み立て方法を説明する概略斜視図
【図６】第１の実施例における使用時の組立式箱形ベッドの利用方法を説明する概略斜視図
【図７】第２の実施例における組み立て前の各構成体の概略平面図
【図８】第２の実施例における各構成体の組み立て方法を説明する図
【発明を実施するための形態】
【００１４】
以下、図面を参照して本発明による組立式箱形ベッドの実施例を説明する。
【実施例１】
【００１５】
図１は第１の実施例における組立式箱形ベッド側方から見た斜視図である。
図２は第１の実施例における組立式箱形ベッドの各構成体の概略斜視図である。図２（ａ）は第１の箱体、図２（ｂ）は第２の箱体、図２（ｃ）は蓋体を示す。
【００１６】
図１において、組立式箱形ベッド１は、例えばダンボール等によるシート製であり、第１の箱体２と、第１の箱体２に出し入れ可能な第２の箱体３と、蓋体４とによって構成されている。
【００１７】
第１の箱体２は、図２（ａ）に示すように、四角形の立方体形状であり、４つの平面部
２１と、１つの開口部２２と、出入口部２３とを有している。
４つの平面部２１は、第１の箱体２の側面及び底面に形成されている。
【００１８】
１つの開口部２２は、第２の箱体３を第１の箱体２に出し入れ可能とするものであり、第２の箱体３を第１の箱体２に入れる場合は入り口となり、第２の箱体３を第１の箱体２から引き出す場合は出口となる。
そのため、第１の箱体２の開口部２２の面積は、第２の箱体３の断面積よりも大きくなっている。
【００１９】
出入口部２３は、第１の箱体２の上面に形成されており、例えば四角形状であり、組立式箱形ベッドの出入り口となる部分である。
【００２０】
第２の箱体３は、図２（ｂ）に示すように、四角形の立方体形状であり、５つの平面部
３１と、１つの開口部３２とを有している。
５つの平面部３１は、第２の箱体３の上面、側面及び底面を形成するものである。
【００２１】
１つの開口部３２は、利用者が組立式箱形ベッドの中で横たわる際に足の出入り口となる部分である。
蓋体４は、図２（ｃ）に示すように、例えば三角形の立体形状でその内部は空洞になっており、４つの平面部４１と、１つの開口部４３とを有している。
【００２２】
４つの平面部４１のうち２つの平面部４１は、１つの開口部４３を挟んで対向に配置されている。
さらに、２つの平面部４１には、蓋体４内部の空洞に通じる通気口４４が設けられている。
【００２３】
なお、本実施例では、蓋体４の平面部４１には、孔状の通気口４４が設けられていると説明したが、その形状はそれに限定されることなく、三角形状、四角形状またはスリット状等にしてもよい。
【００２４】
また、本実施例では、蓋体４は、三角形の立体形状であると説明したが、それに限定されることなく、横たわった際に上半身への圧迫を感じないような形状であれば、例えば台形状、四角形状、半円筒形状等にしてもよい。
【００２５】
また、本実施例では、組立式箱形ベッド１は、ダンボールシート製で説明したが、それに限定されることなく、発泡スチロール板、プラスチック板等材質は適宜選択される。
【００２６】
図３は第１の実施例における組み立て前の各構成体の概略平面図である。図３（ａ）は第１の箱体、図３（ｂ）は第２の箱体、図３（ｃ）は蓋体を示している。
図３に示すように、第１の箱体２、第２の箱体３及び蓋体４には、接合部として突出片５０が形成されている。
【００２７】
ここで、突出片５０について、図３を参照しながら説明する。
【００２８】
第１の箱体２において、突出片５０は、組み立てると開口部２２と対向する平面部２１及び出入口部２３の側縁から突出した帯状の長尺片である。また、突出片５０には挿入孔５２が複数設けられており、被接合部として複数の孔５３が平面部２１及び出入口部２３に設けられている。
【００２９】
また、突出片５０には、取り外し可能なスナップロック５１を挿入できる挿入孔５２が複数設けられている。被接合部としての平面部２１には、突出片５０の挿入孔５２に対応する複数の孔５３が設けられている。
【００３０】
第２の箱体３において、突出片５０は、組み立てると開口部３２と対向する平面部３１及び組み立てると底面と対向する平面部３１となる側縁から突出した帯状の長尺片である。
蓋体４において、突出片は５０、開口部４３を挟んで対向する２つの平面部４１の側縁から突出した四角形状の片である。また、突出片５０には挿入孔５２が複数設けられており、被接合部として複数の孔５３が平面部４１に設けられている。
【００３１】
なお、図３では、突出片５０を一点鎖線、挿入孔５２を二点鎖線、孔５３を実線として示す。
【００３２】
図４は第１の実施例における第１の箱体の組み立て方法を説明する図である。
ダンボールシート状の第１の箱体２の折り曲げ線に沿って折り曲げる（図４（ａ））。
【００３３】
突出片５０に設けられた挿入孔５２と、出入口部２３及び平面部２１に設けられた孔５３とを重ね合わせる（図４（ｂ））。
突出片５０に設けられた挿入孔５２と、出入口部２３及び平面部２１に設けられた孔５３とを重ね合わせた状態で、各挿入孔５２にスナップロック５１を挿入し嵌め合せて接合する（図４（ｃ））。
【００３４】
なお、第２の箱体３及び蓋体４の組み立て方法については、第１の箱体２の場合と同様に、ダンボールシートの折り曲げ線に沿って折り曲げられた後、突出片５０に設けられた挿入孔５２と被接合部としての孔５３とを重ね合わせた状態でスナップロック５１により接合されることで組み立てられるため、説明を省略する。
【００３５】
また、本実施例では、接合するためにスナップロック５１を用いると説明したが、それに限定されることなく、取り外し可能な接合部品であれば、プラネジやジョイント器具等を用いてもよい。
【００３６】
図５は第１の実施例における不使用時の組立式箱形ベッドの組み立て方法を説明する概略斜視図である。
組立式箱形ベッド１は、第２の箱体３の開口部３２を、第１の箱体２の開口部２２に嵌めて、第１の箱体２の開口部２２からそれと対向する平面部２１の方向（図５中矢印Ａの方向）に挿し込み、蓋体４を第１の箱体２に被せることにより組み立てられる。
【００３７】
不使用時は、図５に示すように、第２の箱体３の開口部３２を、図５中矢印Ａの方向に挿し込み、第１の箱体２の開口部２２と対向する平面部３１に当接させることで、組立式箱形ベッド１の全長が小さくなる。
すなわち、第２の箱体３を第１の箱体２に収納することにより、組立式箱形ベッド１の占有するスペースが小さくなり、生活空間を広げることができる。
【００３８】
また、蓋部４を被せることで、組立式箱形ベッドの内部にゴミやチリが入ることを防ぐことができ、組立式箱形ベッドの内部を清潔に保つことができる。
図６は第１の実施例における使用時の組立式箱形ベッドの利用方法を説明する概略斜視図である。
【００３９】
組立式箱形ベッド１を使用する際は、図６に示すように、利用者は、第２の箱体３を第１の箱体２の開口部２２から、図６中矢印Ａと逆方向である矢印Ｂの方向に引き出し、第１の箱体２の出入口部２３から組立式箱形ベッド１の内部に入ることができる。
また、利用者は、自らの身体の大きさに合わせるように組立式箱形ベッド１の全長を調整することが可能であり、組立式箱形ベッド１の中で十分に足が伸ばせる程度に第２の箱体３を第１の箱体２から引き出すことができる。
【００４０】
そのため、本実施例の組立式箱形ベッド１は、身体の小さいこどもから大人まで利用することができ、各利用者の身体の大きさに合わせた必要最小限のスペースしか占有せず、避難所のスペースを有効利用することができる。
【００４１】
次に、利用者は、蓋体４を、蓋体４の開口部４３が第１の箱体２の出入口部２３を覆う
ように被せる。
蓋体４の開口部４３と第１の箱体２の出入口部２３とが連通することにより、蓋体４の空洞と第１の箱体２の内部とがつながり、組立式箱形ベッド１の内部が１つの閉空間となる。
【００４２】
そのため、外部から利用者が見えにくく、利用者のプライバシーを守ることができる。
【００４３】
さらに、土砂災害等によって利用者の健康に害を及ぼす砂埃等が発生しても、組立式箱形ベッド１は閉空間であるため、砂埃等が組立式箱形ベッド１内部に入りづらく、利用者が砂埃等を吸い込むことを抑制することができる。
【００４４】
また、組立式箱形ベッド１は閉空間であるため、財布や貴重品等を肌身離さぬまま利用することができ防犯性が高い。
なお、利用者は、図示しないクリップ等の留め具で蓋体４と第１の箱体２を留めることで、蓋体４がずれることを抑制できる。
【００４５】
このとき、利用者がクリップ等の留め具を用いて組立式箱形ベッド１の内部で蓋体４と第１の箱体２とを留めることで、利用者の意思に反して蓋部４が外されることを防ぐことができる。
【００４６】
また、組立式箱形ベッド１が不要になった場合には、スナップロック５１を取り外すことで各構成体を図３に示す扁平のダンボールシート状に戻すことができ、また、組立式箱形ベッド１として再利用することができる。
【００４７】
以上説明したように、第１の実施例では、組立式箱形ベッド１の全長を調整して避難所のスペースを有効利用することができるとともに利用者のプライバシーを守ることができるという効果が得られる。
【実施例２】
【００４８】
次に、本発明の第２の実施例について図６を参照しながら説明する。なお、第１の実施例と同様な構成については、詳細な説明を省略する。
【００４９】
図７は第２の実施例における組み立て前の各構成体の概略平面図である。図６（ａ）は第１の箱体２、図６（ｂ）は第２の箱体３、図６（ｃ）は蓋体４を示している。
第１の箱体２、第２の箱体３及び蓋体４に接合体としてのり代６０（図７中に一点鎖線で示す。）が形成されている。
【００５０】
本実施例では、接着剤をのり代６０に塗布して被接合体と貼合することにより接合するため、スナップロック５１を用いて接合した場合よりも接合強度が高く、堅牢な組立式箱形ベッドを組み立てることができる。
【００５１】
また、各構成体に折りたたみ線を設けることで、接着剤を剥がすことなく各構成体を扁平に折りたたむことができ、また、組立式箱形ベッド１として再利用することができる。
なお、本実施例では、接合するために接着剤を用いると説明したが、それに限定されることなく、ガムテープ等の粘着テープを用いるようにしてもよい。
【００５２】
図８は第２の実施例における変形例を説明する図である。図８（ａ）は変形例における組み立て前の蓋体の概略平面図、図８（ｂ）は変形例おける使用時の組立式箱形ベッドを側方から見た概略斜視図である。
【００５３】
第１の実施例では、スナップロック５１で接合するため、被接合体が曲面形状の場合、接合が困難である。
【００５４】
しかしながら、第２の実施例では、接着剤で接合するため、曲面形状の被接合体であっても容易に接合することができる。
【００５５】
すなわち、図８（ａ）に示すように、のり代６０を形成することで、蓋部４を半円筒形状にすることができる。
【００５６】
本実施例では、蓋体４を様々な形状にすることができるため、組立式箱形ベッド１の外観が多種多様になるとともに美観性を向上させることができる。
【００５７】
以上説明したように、第２の実施例では、第１の実施例の効果に加え、部材どうしを貼合することによって組み立てるため、接合強度が高く、堅牢な組立式箱形ベッドを組み立てることができるという効果が得られる。
【００５８】
さらに、組立式箱形ベッド１の美観性を向上させるという効果が得られる。
【００５９】
なお、第１の実施例及び第２の実施例では、接合体及び被接合体は上述した位置に形成されていると説明したが、それに限定されることなく、接合体と被接合体とを接合できるならば、上述した位置と異なる位置に接合体及び被接合体が形成されていてもよい。
【００６０】
また、第１の実施例及び第２の実施例では、接合体は上述した様な形状であると説明したが、それに限定されることなく、接合体と被接合体とを接合できるならば、上述した形状と異なる形状の接合体であってもよい。
【００６１】
また、第１の実施例及び第２の実施例では、組立式箱形ベッド１は避難所で利用されると説明したが、仮眠、休息、病院の付添用や瞑想用等に多用することができる。
【００６２】
また、第１の実施例及び第２の実施例では、第１の箱体２に第２の箱体３を出し入れすると説明したが、それに限定されることなく、第２の箱体３に第１の箱体２を出し入れするようにしてもよい。
【００６３】
また、第１の実施例及び第２の実施例では、第２の箱体３の寸法は、第１の箱体２に収納された際、第１の箱体２からはみ出ないような寸法として説明したが、それに限定されず、異なる寸法としてもよい。
【符号の説明】
【００６４】
１    組立式箱形ベッド
２    第１の箱体
３    第２の箱体
４    蓋体
２１  平面部
２２  開口部
２３  出入口部
３１  平面部
３２  開口部
４１  平面部
４３  開口部
４４  通気口
５０  突出片
５１  スナップロック
５２  挿入孔
５３  孔
６０  のり代
【図１】
2020022660.tif 000003
【図２】
2020022660.tif 000004
【図３】
2020022660.tif 000005
【図４】
2020022660.tif 000006
【図５】
2020022660.tif 000007
【図６】
2020022660.tif 000008
【図７】
2020022660.tif 000009
【図８】
2020022660.tif 000010